(57)【要約】【課題】機体容器を大型化することなくインバータの冷却を効率的に図ることができ、エンジン直付け等の高温、強振動下においても、信頼性、性能を損なわず運転できるインバータ内蔵の電動圧縮機を提供するものである。【解決手段】圧縮機構部５と、圧縮機構部５を駆動する電動機４とを内蔵したケーシング本体３と、電動機４を駆動するインバータ８を内蔵したインバータケース７とを備え、インバータ８の発熱部品１９を冷却する主冷却手段としてサーモモジュール２０を具備した電動圧縮機において、前記インバータ８の発熱部をサーモモジュール２０で冷却し、インバータ８を構成する部品、回路の熱による劣化促進を抑制することで、性能および信頼性の向上をはかるものである。【選択図】図１
2008175067.tif 000002
【特許請求の範囲】
【請求項１】
冷媒の吸入、圧縮および吐出を行う圧縮機構部と前記圧縮機構部を駆動する電動機を内蔵したケーシングと、前記電動機を駆動するインバータ制御装置を内蔵したインバータケースと、前記インバータ制御装置の発熱部の冷却手段として、放熱面と吸熱面を具備するサーモモジュールを用いた電動圧縮機において、前記サーモモジュールの吸熱面を、前記インバータ制御装置の発熱部と熱伝導あるいは熱伝達あるいは輻射によって熱が伝わるように設け、さらに前記サーモモジュールの放熱面と前記インバータケースを熱伝導あるいは熱伝達によって熱が伝わるように設けた電動圧縮機。
【請求項２】
冷媒の吸入、圧縮および吐出を行う圧縮機構部と、前記圧縮機構部を駆動する電動機を内蔵したケーシングと、前記電動機を駆動するインバータ制御装置を内蔵したインバータケースと、前記インバータ制御装置の発熱部の冷却手段として、放熱面と吸熱面を具備するサーモモジュールを用い、さらに前記インバータケース内部の空間の冷却に、吸入冷媒温度を利用した電動圧縮機において、前記サーモモジュールの吸熱面を前記インバータ制御装置の発熱部と熱伝導あるいは熱伝達あるいは輻射によって熱が伝わるように設け、さらに前記サーモモジュールの放熱面と前記インバータケースを熱伝導あるいは熱伝達によって熱が伝わるように設けた電動圧縮機。
【請求項３】
前記インバータケースと隣接するケーシング側に、前記インバータ制御装置における発熱部の前記サーモモジュールからの離反を規制する規制手段を設けた請求項１または２に記載の電動圧縮機。
【請求項４】
前記ケーシングを、一面が開口し、内部に前記圧縮機構部および前記電動機を収納したケーシング本体と、前記一面を閉塞する蓋体を具備する構成とし、前記インバータケースを、断熱材を介して前記ケーシング本体もしくは前記蓋体の少なくとも一方に取付けた請求項１から３のいずれか一項に記載の電動圧縮機。
【請求項５】
前記インバータケースに、前記サーモモジュールの放熱面を前記インバータケースへ密着させるように付勢する弾性体を設けた請求項１から４のいずれか一項に記載の電動圧縮機。
【請求項６】
前記インバータケースに、前記サーモモジュールの吸熱面側に設けられた弾性体を介して、前記サーモモジュールを前記インバータケース内面に固定する固定具を設け、さらに前記サーモモジュール側部の少なくとも一部に、前記サーモモジュールにおける放熱面から吸熱面への熱の移動を抑止する断熱層を設けた請求項５に記載の電動圧縮機。
【請求項７】
前記蓋体に、前記インバータ制御装置側に突出し、前記規制手段を構成する突出部を設けた請求項４から６のいずれか一項に記載の電動圧縮機。
【請求項８】
前記インバータケースに、該インバータケースの内外を連通する換気手段を設けた請求項１から７のいずれか一項に記載の電動圧縮機。
【請求項９】
前記換気手段を、少なくとも前記インバータケースに設けた吸気口と排気口および前記インバータケース内空間より構成した請求項８に記載の電動圧縮機。
【請求項１０】
前記吸気口と排気口の少なくとも一方を他方よりも高い位置に設けた請求項９に記載の電動圧縮機。
【請求項１１】
冷媒の吸入、圧縮および吐出を行う圧縮機構部と前記圧縮機構部を駆動する電動機を内蔵
したケーシングと、前記電動機を駆動するインバータ制御装置を内蔵したインバータケースと、前記インバータ制御装置の発熱部の冷却手段として、放熱面と吸熱面を具備するサーモモジュールを用いた電動圧縮機において、前記インバータケースの一部に貫通穴を設け、前記サーモモジュールの吸熱面を前記インバータ制御装置の発熱部と熱伝導あるいは熱伝達あるいは輻射によって熱が伝わるように設け、さらに前記サーモモジュールの放熱面に、前記インバータケースの貫通穴より突出する伝熱促進手段を設けた電動圧縮機。
【請求項１２】
冷媒の吸入、圧縮および吐出を行う圧縮機構部と前記圧縮機構部を駆動する電動機を内蔵したケーシングと、前記電動機を駆動するインバータ制御装置を内蔵したインバータケースと、前記インバータ制御装置の発熱部の冷却手段として、放熱面と吸熱面を具備するサーモモジュールを用い、さらに前記インバータケース内部の空間の冷却に、吸入冷媒温度を利用した電動圧縮機において、前記インバータケースの一部に貫通穴を設け、前記サーモモジュールの吸熱面を、前記インバータ制御装置の発熱部と熱伝導あるいは熱伝達あるいは輻射によって熱が伝わるように設け、さらに前記サーモモジュールの放熱面に、前記インバータケースの貫通穴より突出する伝熱促進手段を設けた電動圧縮機。
【請求項１３】
前記伝熱促進手段を、熱伝導性材料で構成し、表面積を拡大する放熱フィンを具備する構成とした請求項１１または１２に記載の電動圧縮機。
【発明の詳細な説明】
【技術分野】
【０００１】
本発明は、圧縮機構部と、この圧縮機構部を駆動する電動機を機体容器（ケーシング）に内蔵し、さらに、前記電動機の駆動（回転）を制御するインバータ制御装置を前記機体容器に設けた電動圧縮機に関するものである。
【背景技術】
【０００２】
この種の電動圧縮機として、圧縮機構部および電動機を具備する圧縮機部と、前記電動機の駆動を制御するインバータ制御装置の収納部を気密状態に仕切り、一つの機体容器として一体化した構成が知られている（例えば、特許文献１参照）。
【０００３】
図５は、上記特許文献１に示される電動圧縮機の縦断面図であり、電動機１１１を収容した機体容器１１２内に圧縮機構部１１３を組込み、さらに前記圧縮機構部１１３を挟む如く前記電動機１１１と反対側に位置してインバータ制御装置１１４を収容した蓋体１１５が、前記機体容器１１２と気密状態に仕切られて設けられた構成を示している。
【０００４】
そして、前記機体容器１１２と蓋体１１５は、同軸上に配置され、ボルト等で締結されている。また、前記インバータ制御装置１１４は、その発熱部が前記圧縮機構部１１３に面して配置されている。
【０００５】
したがって、前記圧縮機構部１１３に設けられた吸入口１１６より流入された吸入冷媒は、一旦前記蓋体１１５と前記圧縮機構部１１３の間に形成された通路１１７に導かれ、前記インバータ制御装置１１４の発熱部と熱交換を図った後、圧縮機構部１１３に吸入される。
【０００６】
さらに圧縮機構部１１３で圧縮された冷媒ガスは、電動機１１１を冷却した後、機体容器１１２に設けられた吐出口１１８より吐出される。
【特許文献１】特開２００４−１８３６３１号公報
【発明の開示】
【発明が解決しようとする課題】
【０００７】
しかし、上記特許文献１に記載の構造は、吸入冷媒の温度のみによって前記インバータ制御装置１１４の高発熱部品を冷却する構造であるため、圧縮機の低速運転時、即ち冷媒循環量が少ない場合、あるいは負荷変動等によって吸入冷媒温度が高くなった場合等では十分な熱交換が行えなくなり、前記インバータ制御装置１１４の発熱部品が冷却不足となって性能、信頼性に大きな影響を及ぼす可能性がある。
【０００８】
また、前記圧縮機が自動車用のエアコンとして用いられ、エンジンに直接装着される場合には、エンジンの熱によって圧縮機内部の温度が異常に上昇し、さらには圧縮機が停止中の場合でも前記エンジンの熱によってインバータ部品が高温に加熱され、その加熱によってインバータ部品の劣化を加速する要因を含む構成であった。
【０００９】
上述の如く、圧縮機がエンジンに装着された環境は、１００℃を超える場合もあり、また炎天下での駐車状態においても相当の高温に晒される状態にある。
【００１０】
また、電気自動車あるいは、ルームエアコンの如く居室用の空気調和機においても、インバータ制御装置１１４は同様の環境下に晒され、同様に熱による部品劣化を加速する要因を含む構成である。
【００１１】
したがって、インバータ部品に求められる信頼条件は、相当過酷なもので、上記特許文献１に示される冷却技術において、特に車両に搭載される圧縮機の場合は、インバータ部品の冷却の関係から圧縮機の取付け位置、方向性等において制約されることが多く、設計の自由度を増す改善策が求められるものであった。
【００１２】
さらに、前記インバータ制御装置１１４は、動作時に発熱する特性を有しているため、エンジン搭載の有無に係わらずインバータ制御装置１１４を冷却する構成が必要とされている。
【００１３】
本発明は、上記従来の課題に着目し、主として、機体容器（ケーシング）を大型化することなくインバータ制御装置の冷却が効率的に行える電動圧縮機を提供することを目的とする。
【課題を解決するための手段】
【００１４】
上記従来の課題を解決するために本発明は、インバータ制御装置を、サーモモジュール（ペルチェ素子あるいはペルチェモジュールとも称される）の冷却作用を利用して冷却するようにしたものである。
【００１５】
さらに詳述すると、冷媒の吸入、圧縮および吐出を行う圧縮機構部と、該圧縮機構部を駆動する電動機とを内蔵したケーシングに、前記電動機を駆動制御するインバータ制御装置内蔵のインバータケースを組込んだ電動圧縮機において、前記インバータ制御装置を冷却する冷却手段として、前記インバータ制御装置における発熱部の冷却を行うサーモモジュールを、前記インバータケースに取付けたものである。
【００１６】
したがって、前記インバータ制御装置における発熱部を、前記サーモモジュールによる冷却作用にて冷却、もしくはその温度上昇を抑制することができる。
【発明の効果】
【００１７】
本発明の電動圧縮機は、電動機の回転、駆動を制御するインバータ制御装置の発熱部を、サーモモジュールにおける吸熱面の吸熱作用によって冷却することができる。
【００１８】
したがって、圧縮機の運転中および運転停止直後はもちろんのこと、圧縮機の停止時において前記インバータ制御装置が高温状態に晒されるような状況のように、必要時に前記サーモモジュールの通電を制御することによって前記インバータ制御装置を冷却、もしくはその温度上昇を抑制することができるため、圧縮機の運転時におけるインバータ制御装置の効率を高めることが可能となり、またインバータ部品の熱による劣化を抑制することができる。
【００１９】
さらに、前記電動圧縮機がハイブリッド車等の如くエンジンに直接装着される場合であっても、インバータ部品の冷却の関係から圧縮機の取付け位置、方向性等が制約されるといったことも緩和され、設計の自由度が増し、車両への装着性を損なうこともない。さらに、直接エンジンに装着される場合は、エンジンからの加熱、振動等の過酷な環境下に晒されることになるが、前述の如く冷却作用によって、電動圧縮機としての性能および信頼性を損なわず、電動圧縮機を運転することが可能となる。
【００２０】
また、前記サーモモジュールの放熱面に、該サーモモジュールの放熱作用を促進する伝熱促進手段を設けた構成とすることにより、前記インバータケースを介しての放熱作用と異なり、前記伝熱促進手段によって設定された放熱能力が得られるため、電動圧縮機が設置される環境条件に応じた放熱能力設定が可能となり、汎用性を高めることができるもの
である。
【発明を実施するための最良の形態】
【００２１】
請求項１に記載の発明は、冷媒の吸入、圧縮および吐出を行う圧縮機構部と前記圧縮機構部を駆動する電動機を内蔵したケーシングと、前記電動機を駆動するインバータ制御装置を内蔵したインバータケースと、前記インバータ制御装置の発熱部の冷却手段として、放熱面と吸熱面を具備するサーモモジュールを用いた電動圧縮機において、前記サーモモジュールの吸熱面を、前記インバータ制御装置の発熱部と熱伝導あるいは熱伝達あるいは輻射によって熱が伝わるように設け、さらに前記サーモモジュールの放熱面と前記インバータケースを熱伝導あるいは熱伝達によって熱が伝わるように設けたものである。
【００２２】
かかる構成とすることにより、前記インバータ制御装置における発熱部を、前記サーモモジュールの吸熱作用にて冷却することができ、その冷却も直接の熱伝導あるいは熱伝達あるいは輻射であるため、熱移動における熱抵抗を小さくし、前記インバータ制御装置を効率よく冷却、あるいはその温度上昇を抑制することができる。その結果、前記インバータ制御装置を構成するインバータ部品の熱による劣化加速を抑制することができる。
【００２３】
さらに、前記インバータケースにより、雨水、埃等による電装部品等への悪影響が防止でき、長期に亘る信頼性が確保できるものである。
【００２４】
請求項２に記載の発明は、冷媒の吸入、圧縮および吐出を行う圧縮機構部と前記圧縮機構部を駆動する電動機を内蔵したケーシングと、前記電動機を駆動するインバータ制御装置を内蔵したインバータケースと、前記インバータ制御装置の発熱部の冷却手段として、放熱面と吸熱面を具備するサーモモジュールを用い、さらに前記インバータケース内部の空間の冷却に、吸入冷媒温度を利用した電動圧縮機において、前記サーモモジュールの吸熱面を前記インバータ制御装置の発熱部と熱伝導あるいは熱伝達あるいは輻射によって熱が伝わるように設け、さらに前記サーモモジュールの放熱面と前記インバータケースを熱伝導あるいは熱伝達によって熱が伝わるように設けたものである。
【００２５】
かかる構成とすることにより、上記請求項１による作用効果に加え、前記吸入冷媒の温度を利用して前記インバータケース内の空間の温度上昇を抑制することができ、前記インバータ制御装置およびその周辺回路部品の熱による劣化を抑制することができるものである。
【００２６】
請求項３に記載の発明は、前記インバータケースと隣接するケーシング側に、前記インバータ制御装置における発熱部の前記サーモモジュールからの離反を規制する規制手段を設けたものである。
【００２７】
かかる構成とすることにより、前記インバータ制御装置における発熱部と前記サーモモジュールにおける吸熱面との熱交換状態が維持でき、熱伝導あるいは熱伝達あるいは輻射による冷却作用の安定化がはかれるものである。
【００２８】
請求項４に記載の発明は、前記ケーシングを、一面が開口し、内部に前記圧縮機構部および前記電動機を収納したケーシング本体と、前記一面を閉塞する蓋体を具備する構成とし、前記インバータケースを、断熱材を介して前記ケーシング本体もしくは前記蓋体の少なくとも一方に取付けたものである。
【００２９】
かかる構成とすることにより、前記インバータケース側と前記ケーシング本体側間での熱の移動を抑制することができ、前記インバータケース内空間の熱負荷（環境）の変化を抑制することができる。
【００３０】
その結果、前記サーモモジュールの能力設定が行い易くなり、前記インバータ制御装置を効率よく冷却することができる。また、吸入冷媒温度を利用してインバータケース内を冷却する構成においても同様に能力設定の阻害要因を少なくすることができ、損失の少ない冷却作用を行うことができる。
【００３１】
請求項５に記載の発明は、前記インバータケースに、前記サーモモジュールの放熱面を前記インバータケースへ密着させるように付勢する弾性体を設けたものである。
【００３２】
かかる構成とすることにより、前記弾性体の付勢力によって前記サーモモジュールをインバータケースに押圧固定することができ、その結果、圧縮機の運転等に伴う振動あるいは熱応力が作用しても、前記弾性体の弾性力によってその振動あるいは応力を吸収し、サーモモジュールを保護することができるものである。
【００３３】
また、熱膨張・収縮等に起因して微妙にインバータケースに歪が生じても、前記弾性体の付勢力によって前記サーモモジュールとの当接状態を維持することが可能となり、その結果、前記サーモモジュールの吸熱作用および放熱作用の安定化がはかれるものである。
【００３４】
請求項６に記載の発明は、前記インバータケースに、前記サーモモジュールの吸熱面側に設けられた弾性体を介して、前記サーモモジュールを前記インバータケース内面に固定する固定具を設け、さらに前記サーモモジュール側部の少なくとも一部に、前記サーモモジュールにおける放熱面から吸熱面への熱の移動を抑止する断熱層を設けたものである。
【００３５】
かかる構成とすることにより、前記固定具と弾性体によるサーモモジュールの固定と、前述の振動、応力に対する保護が行え、また前記断熱層によって前記サーモモジュールの放熱面から吸熱面への熱リークを抑制することができる。その結果、前記サーモモジュールにおける吸熱面、放熱面からの吸熱作用、放熱作用が正規（定格）の状態もしくはそれに近い状態で行え、冷却効率維持の阻害を低減することができる。
【００３６】
請求項７に記載の発明は、前記蓋体に、前記インバータ制御装置側に突出し、前記規制手段を構成する突出部を設けたものである。
【００３７】
かかる構成によれば、前記インバータケースにインバータ制御装置を予め取付けておくことにより、前記インバータケースを前記ケーシングに組込む作業に伴い、前記インバータ制御装置における発熱部の前記インバータケースからの離反規制が行え、部品数の増加が抑制できるとともに、組立て作業性の向上が期待できるものである。
【００３８】
また、予め前記インバータ制御装置を蓋体に取付けて前述の離反規制を行う構成とし、その状態でインバータケースを取付け、インバータケース内面とインバータ制御装置の発熱部を熱伝導あるいは熱伝達可能に配置することもできる。かかる場合においても、同様に部品数の増加抑制と組立て作業性の向上が期待できるものである。
【００３９】
請求項８に記載の発明は、前記インバータケースに、該インバータケースの内外を連通する換気手段を設けたものである。
【００４０】
かかる構成とすることにより、前記インバータケース内における熱のこもりが防止でき、インバータ制御装置を効率よく冷却することができる。
【００４１】
請求項９に記載の発明は、前記換気手段を、少なくとも前記インバータケースに設けた吸気口と排気口および前記インバータケース内空間より構成したものである。
【００４２】
かかる構成とすることにより、インバータケース内空気の流れが形成でき、インバータケース内における熱のこもりが抑制できるものである。
【００４３】
請求項１０に記載の発明は、前記吸気口と排気口の少なくとも一方を、他方よりも高い位置に設けたものである。
【００４４】
かかる構成とすることにより、温度が高い暖気の排気が高所から行え、インバータケース内における高温の空気の逃げが円滑となり、また比較的低温の冷却空気は下方に対流し易く、インバータケース内の冷却作用を効率よく行うことができる。
【００４５】
請求項１１に記載の発明は、冷媒の吸入、圧縮および吐出を行う圧縮機構部と前記圧縮機構部を駆動する電動機を内蔵したケーシングと、前記電動機を駆動するインバータ制御装置を内蔵したインバータケースと、前記インバータ制御装置の発熱部の冷却手段として、放熱面と吸熱面を具備するサーモモジュールを用いた電動圧縮機において、前記インバータケースの一部に貫通穴を設け、前記サーモモジュールの吸熱面を前記インバータ制御装置の発熱部と熱伝導あるいは熱伝達あるいは輻射によって熱が伝わるように設け、さらに前記サーモモジュールの放熱面に、前記インバータケースの貫通穴より突出する伝熱促進手段を設けたものである。
【００４６】
かかる構成とすることにより、前記インバータ制御装置における発熱部を、前記サーモモジュールの吸熱作用にて冷却することができ、その冷却も直接の熱伝導あるいは熱伝達あるいは輻射であるため、熱移動における熱抵抗を小さくし、前記インバータ制御装置を効率よく冷却、あるいはその温度上昇を抑制することができる。その結果、前記インバータ制御装置を構成するインバータ部品の熱による劣化加速を抑制することができる。
【００４７】
また、伝熱促進手段についても、前記インバータケースの放熱能力に阻害されることなく伝熱促進手段の放熱能力を独自に設定することができるため、放熱面と吸熱面の温度差を小さくすることが容易となり、これはサーモモジュールの運転効率を高めることにつながり、また電動圧縮機が設置される環境条件に応じた放熱能力設定が可能となり、汎用性を高めることができるものである。
【００４８】
請求項１２に記載の発明は、冷媒の吸入、圧縮および吐出を行う圧縮機構部と前記圧縮機構部を駆動する電動機を内蔵したケーシングと、前記電動機を駆動するインバータ制御装置を内蔵したインバータケースと、前記インバータ制御装置の発熱部の冷却手段として、放熱面と吸熱面を具備するサーモモジュールを用い、さらに前記インバータケース内部の空間の冷却に、吸入冷媒温度を利用した電動圧縮機において、前記インバータケースの一部に貫通穴を設け、前記サーモモジュールの吸熱面を、前記インバータ制御装置の発熱部と熱伝導あるいは熱伝達あるいは輻射によって熱が伝わるように設け、さらに前記サーモモジュールの放熱面に、前記インバータケースの貫通穴より突出する伝熱促進手段を設けたものである。
【００４９】
かかる構成とすることにより、上記請求項１１による作用効果に加え、前記吸入冷媒の温度を利用して前記インバータケース内の空間の温度上昇を抑制することができ、前記インバータ制御装置およびその周辺回路部品の熱による劣化を抑制することができるものである。
【００５０】
請求項１３に記載の発明は、前記伝熱促進手段を、熱伝導性材料で構成し、表面積を拡大する放熱フィンを具備する構成としたもので、簡単かつ安価な構成にて前述の放熱面と吸熱面の温度差を小さくしてサーモモジュールの吸熱作用を向上し、インバータ制御装置
における発熱部との熱交換効率を向上することができるものである。
【００５１】
以下、本発明の実施の形態について、図面を参照しながら説明する。なお、この実施の形態によって本発明が限定されるものではない。
【００５２】
（実施の形態１）
図１は、本発明の実施の形態１における電動圧縮機の一部を切り欠いた正面図である。本実施の形態１においては、電動圧縮機１のケーシングの周りに設けた取付け脚２によって横向きに設置される横型の電動圧縮機の場合を一つの例として示している。図２は、同電動圧縮機１のインバータ制御装置８を具備する回路基板の斜視図である。
【００５３】
同図において、電動圧縮機１は、一端が開口する有底円筒状に形成され、外周の適宜箇所に取付け脚２を複数設けた金属製のケーシング本体３と、そのケーシング本体３内に組込まれた固定子と回転子を具備する電動機（ＤＣブラシレスモータ）４と、前記ケーシング本体３内に嵌入または圧入された圧縮機構部５を主要構成とし、前記電動機４の回転軸６は、前記圧縮機構部５の駆動軸を構成している。
【００５４】
そして、前記ケーシング本体３における前記圧縮機構部５側の開口端部は、アルミダイキャスト等の金属製の蓋体７によって閉塞され、ケーシング本体３内を密封状態としている。
【００５５】
前記電動機４は、後述するインバータ制御装置（以下、インバータと称す）８によって駆動およびその回転数が制御される。この電動圧縮機１において、取り扱う冷媒はガス冷媒であり、各摺動部の潤滑や前記圧縮機構部５における摺動部のシール、潤滑に供する液としては潤滑油を採用している。
【００５６】
本実施の形態１における電動圧縮機１の圧縮機構部５は、スクロール方式のもので、周知の構成であり、前記圧縮機構部５に形成された圧縮空間９の容積変化により、外部サイクルから帰還する戻り冷媒（以下、吸入冷媒と称す）１０を、前記蓋体７に設けた吸入口１１より前記圧縮機構部５の吸入側へ吸入し、前述の如く圧縮空間９で圧縮した後、圧縮空間９の略中央に位置する吐出孔１２より後述する吐出室１２ａおよび通路１２ｂを介してケーシング本体３内へ吐出し、前記ケーシング本体３に設けた吐出口１３より熱交換器等を具備する外部サイクル（図示せず）へ吐出する。
【００５７】
上記圧縮機構部５および電動機４のケーシング本体３内への組み込み構成は、周知の構成でよいため、その詳細な説明は省略する。
【００５８】
一方、前記ケーシング本体３の開口側にＯリング等のシール部材１４を介して密封性よく嵌合された蓋体７は、ボルト締め等の適宜手段（図示せず）にて前記ケーシング本体３に固定されている。
【００５９】
また、前記蓋体７においては、その内面に設けた隔壁７ａとその先端に設けたＯリング等のシール部材１５により、前記圧縮機構部５（固定スクロールの固定鏡板）と気密的に組合せ、前記吸入口１１から前記圧縮機構部５の吸入側に通じる密閉空間を構成して吸入通路１６を形成している。さらに、前記蓋体７における前記隔壁７ａと反対の面には、後述する突出壁７ｂが設けられている。
【００６０】
さらに、前記吸入通路１６空間の一部には、隔壁１７を介して前記圧縮機構部５の吐出孔１２に連通する吐出室１２ａが位置している。
【００６１】
前記インバータ８は、図２に示す如く発熱度の高いスイッチング素子を含む周知のＩＰＭ（インテリジェントパワーモジュール）１８ａとマイクロコンピュータを主体とする制御回路部１８ｂ等を具備して構成され、さらに前記ＩＰＭ１８ａの発熱部には、該発熱部と後述するサーモモジュール２０の吸熱面間を補完する熱伝導部材１９が設けられ、これらは印刷配線基板（以下、回路基板と称す）１８上に配置されている。熱伝導部材１９は、前記ＩＰＭ１８ａの発熱部と、サーモモジュール２０の吸熱面が直接接触する構成にできれば、特に設ける必要はない。
【００６２】
また、前記回路基板１８には、上記電動機４の制御回路に加えて後述するサーモモジュール２０の通電を制御する制御回路部２０ａも並設されている。
【００６３】
前記回路基板１８に搭載されている制御回路部１８ｂおよび制御回路部２０ａ等は、前記電動圧縮機１の設置される環境に合わせて、耐熱仕様とされる場合もある。
【００６４】
そして、前記インバータ８と前記電動機４は、前記回路基板１８に設けられた雌型の接続コネクタ２１と、前記蓋体７の裏面（内面）側の電装空間４ｂに設けられた雄型の接続コネクタ（圧縮機ターミナル）４ａの嵌合によって電気的に接続されている。この接続については、接続コネクタ２１をリード線（図示せず）を介して前記回路基板１８に接続した構成であってもよい。
【００６５】
さらに、前記蓋体７には、前記インバータ８および回路基板１８等を内蔵したインバータケース２２が、ボルト２３によって取付けられている。前記インバータケース２２は、前記ケーシング本体３へ取付ける構成であってもよい。
【００６６】
前記インバータケース２２は、前記蓋体７と同様にアルミダイキャスト等の金属製であり、埃あるいは雨水等がインバータ８あるいは回路基板１８等へ影響しないように防塵・防水構造を形成するものである。
【００６７】
そして、前記インバータケース２２は、前記蓋体７との当接面（開口周縁）に、断熱材２２ａを具備しており、蓋体７あるいはケーシング本体３側とインバータケース２２間における熱の移動を防止している。この断熱材２２ａは、アクリル系樹脂、フッ素ゴム、フッ素系樹脂等のいずれかを成分とするシール材、あるいはプラスチックゴム等の如くシール性の他に耐熱機能を備えているものが好ましい。具体的な材料は、周知の範囲で選択することができる。
【００６８】
前記インバータケース２２の内面（底面）は、平面に形成され、その平面に、サーモモジュール２０が取付けられている。
【００６９】
このサーモモジュール２０は、周知の如く、ペルチェ素子あるいはペルチェモジュールとも称され、例えば、セラミック材等（熱伝導材料を混入したセラミック材を含む）から形成される電気絶縁体の基板上に、複数の電極を配置し、その電極上に電流が直列に流れるように複数の熱電素子を配置したもので、通電によるペルチェ効果により、一方の面で発熱し、他方の面で吸熱を行うものである。
【００７０】
前記サーモモジュール２０は、その放熱面が前記インバータケース２２の内面の平面部に密着して取付けられ、吸熱面が前記蓋体７とともに形成された内部空間２４に面している。
【００７１】
したがって、前記サーモモジュール２０の放熱面は、前記インバータケース２２との密着により、拡大された伝熱面を形成した構成となっており、インバータケース２２によっ
て高い放熱能力が得られるように構成されている。
【００７２】
換言すると、前記インバータケース２２は、サーモモジュール２０における放熱面の伝熱促進手段を兼ねている。
【００７３】
さらに、前記インバータケース２２の外面には、その表面積を増大する放熱フィン２９が設けられている。これにより、前記サーモモジュール２０における放熱能力を高め、吸熱面との温度差を小さくするようにしてサーモモジュール２０の吸熱性能を向上させている。
【００７４】
また、前記サーモモジュール２０の吸熱面には、伝熱促進面を形成するべく手段が施されており、本実施の形態１においては、その伝熱促進手段として、アルミ金属等の熱伝導性材料からなるヒートシンク２５を用い、これを前記吸熱面に密着することにより、前記伝熱促進面を形成している。前記ヒートシンク２５は、相対する面が平面に形成されており、その一面が前記吸熱面と密着している。さらに、前記ヒートシンク２５は、前記インバータ８を構成する前記伝熱面部材１９の面積より若干大きく形成されている。
【００７５】
そして、前記サーモモジュール２０およびヒートシンク２５は、前記インバータケース２２の内面にネジ止め等の適宜手段にて取付けられた固定具２６により、弾性体２７を介して固定されている。
【００７６】
したがって、前記サーモモジュール２０およびヒートシンク２５は、前記弾性体２７の付勢力により、前記インバータケース２２に押付けられた状態で固定されている。かかる構成において、前記サーモモジュール２０とインバータケース２２、ヒートシンク２５の各密着面を、熱良導性の熱伝導グリース等を介して密着させることにより、熱抵抗を低減させてさらに効率を高めることができる。
【００７７】
上述の如く、前記サーモモジュール２０の押付け固定を勘案すれば、前記弾性体２７は、点で押付けるものではなく、面で押付ける形状、例えば、前記ヒートシンク２５の周縁形状に沿った形状でヒートシンク２５の周縁を押え付けるコイル状のバネ材、あるいは前記ヒートシンク２５の周縁を押え付ける如く波板状に形成された環状のバネ材さらには、耐熱性のゴム材、耐熱性の弾性樹脂材等が好ましい。具体的な材料は、周知の範囲で選択することができる。
【００７８】
かかる弾性体２７による前記サーモモジュール２０の押付け固定は、例えば車両用エアコンとして搭載される電動圧縮機の場合、車両からの振動、あるいはエンジンからの振動等を前記弾性体２７によって吸収することができ、その結果、サーモモジュール２０において、振動衝撃による電極と熱電素子の剥離、あるいはセラミック材等の電気絶縁体基板の破損を防止する対策としては有用な取付け構造である。
【００７９】
さらに、前記サーモモジュール２０における側面周囲と前記固定具２６との間には、断熱層を形成する断熱空間２８が設けられている。この断熱空間２８は、前記サーモモジュール２０における放熱面の熱が、サーモモジュール２０の側面周囲に位置する部位（本実施の形態１においては固定具２６）を伝って直接吸熱面へリークすることを規制するもので、これにより、前記サーモモジュール２０は、定格通りあるいはそれに近い状態で運転される。
【００８０】
前記断熱層は、断熱空間２８に限るものではなく、直接の熱移動を規制する材料、構成であればよいもので、耐熱性の断熱材を前記断熱空間２８に設けることにより、一層高い熱リークの規制効果が期待できる。
【００８１】
ここで、本実施の形態１においては、密着した関係にある複数の物体間における熱の移動を熱伝導と定義し、複数の物体間において空間を介して行う熱の移動を熱伝達（輻射も含む）と定義して説明を進めることとする。
【００８２】
また、前記インバータケース２２は、前記サーモモジュール２０の放熱面が前記インバータケース２２と密着しているため、前述の如くインバータケース２２の全面方向に広がって前記放熱面の放熱を促進するように作用する。
【００８３】
さらに、前記インバータケース２２の内面側には、前述の如く前記インバータ８が設けられている。具体的には、前記回路基板１８の周縁を、前記インバータケース２２の開口部近辺に形成された段部２２ｂに当接し、ネジ止めすることによって固定されている。
【００８４】
この状態において、前記インバータ８の伝熱面部材１９が前記ヒートシンク２５の平面部と密着あるいは略密着する関係となるように、前記インバータケース２２の段部２２ｂが形成されている。
【００８５】
換言すると、前記段部２２ｂは、前述の如く回路基板１８を固定することにより、前記伝熱面部材１９とヒートシンク２５が密着あるいは略密着する関係となるようにその寸法が設定されているものである。
【００８６】
さらに、前記サーモモジュール２０のヒートシンク２５とインバータ８の伝熱面部材１９を、前記サーモモジュール２０とインバータケース２２、ヒートシンク２５の各密着面と同様に、熱良導性の熱伝導グリース等を介して密着させることにより、熱抵抗を低減させてさらに効率を高めることができる。
【００８７】
ここで、前記インバータ８のサーモモジュール２０への密着あるいは略密着は、以降で述べる作用効果が期待できる程度の熱が伝えられる関係を定義しており、前記インバータ８の伝熱面部材１９とサーモモジュール２０の関係において極微小の空隙を介在した熱伝達作用の場合も相当するもので、以降の説明においては、便宜上前述の極微小の空隙を介在した熱伝達作用も含めて熱伝導と称し、また略密着を含み密着と称して説明する。
【００８８】
また、前記インバータケース２２を前記蓋体７あるいはケーシング本体３へ取付けた状態においては、前記蓋体７に形成した突出壁７ｂが前記回路基板１８と接する如く位置し、前記回路基板１８の蓋体７側への撓みを規制している。前記突出壁７ｂは、前記インバータ８における伝熱面部材１９の前記サーモモジュール２０からの離反を規制する規制手段を構成するものである。
【００８９】
したがって、予め前記インバータ８の回路基板１８を前記蓋体７に取付け、前述の離反規制が行える程度に前記突出壁７ｂの突出度合いを設定しておき、インバータケース２２を取付けた際に、インバータケース２２に取付けたサーモモジュール２０の吸熱面とインバータ８の伝熱面部材１９（発熱部）を密着させて熱伝導可能に配置することもできる。
【００９０】
前記規制については、突出壁７ｂで直接行う他に、前記突出壁７ｂ（蓋体７）と回路基板１８の間に弾性材（図示せず）等を介在して前記回路基板１８の蓋体７側への撓みを規制することもできる。
【００９１】
さらに、前記インバータケース２２には、前記内部空間２４と外部を連通する吸気口３０と排気口３１がそれぞれ異なる位置に設けられ、前記内部空間２４を含めてインバータケース２２内の換気通路を形成している。
【００９２】
ここで、前記吸気口３０と、該吸気口３０よりも高位に位置する排気口３１は、温度が低い冷気は下降し、温度が高い熱気は上昇する特性から一義的に定義しているもので、例えば、強風が電動圧縮機１に吹き付ける等の如く電動圧縮機１における周囲の環境の変化あるいは内部空間２４と外部との圧力差等によっては、吸気と排気が逆に行われる場合もある。また、必要に応じて前記吸気口３０と排気口３１に、空気の透過を許容し、水分の透過を拒否する周知の膜体を設けてもよい。
【００９３】
前記インバータ８による電動機４の駆動（回転）制御は、周知の如く空調室温度、冷媒温度等の負荷を検出手段（図示せず）にてモニタし、その結果に基づく負荷信号、制御信号によって、所定の周波数で前記電動機４の回転を制御するものである。具体的な電動機４の制御内容は、本発明の要旨と直接関係しないため、ここでの説明は省略する。
【００９４】
次に、上記構成からなる電動圧縮機１の動作およびインバータ８の冷却動作について説明する。
【００９５】
インバータ８の起動制御によって電動機４が回転すると、これに伴って回転軸（駆動軸）６も回転し、前記回転軸６を介して圧縮機構部５が駆動される。
【００９６】
したがって、前記圧縮機構部５は、蓋体７に設けた吸入口１１を通じて周知の構成からなる冷凍サイクル（図示せず）からの吸入冷媒１０を吸入する。
【００９７】
吸入口１１から流入した低温の吸入冷媒１０は、吸入冷媒通路１６の空間において蓋体７を冷却し、前記圧縮機構部５の通路穴（図示せず）を介して圧縮空間９に流入する。
【００９８】
前記圧縮空間９に流入した冷媒は、前記圧縮機構部５の円軌道運動に伴う圧縮空間９の容積縮小運動によって圧縮され、最終の圧縮空間に連通する吐出孔１２から吐出室１２ａへ吐出される。
【００９９】
前記吐出孔１２から吐出室１２ａへ吐出された冷媒は、前記圧縮機構部５の外周部に設けられた通路１２ｂを通って電動機４側に入り、電動機４を冷却しながらケーシング本体３の吐出口１３から吐出され、冷凍サイクルへと流れる。
【０１００】
上記冷媒の循環する流れに伴い、前記蓋体７が吸入冷媒１０によって冷却され、その熱を受けて前記インバータケース２２の内部空間２４が冷却される。その結果、前記内部空間２４は、温度上昇が抑制され、前記インバータ８をその雰囲気温度で冷却する。
【０１０１】
さらに、上記電動圧縮機１の運転に伴い、サーモモジュール２０へも通電され、吸熱面の吸熱作用（冷却作用）に伴う冷熱は、ヒートシンク２５を介してインバータ８の伝熱面部材１９へ導かれ、伝熱面部材１９を冷却する。一方、サーモモジュール２０の放熱面での発熱は、インバータケース２２を介して外部へ放出される。
【０１０２】
そして、運転時間の経過と共に前記インバータ８は発熱部から発熱し、その温度が上昇する傾向となるが、前記ヒートシンク２５を介してサーモモジュール２０の冷却熱が前記伝熱面部材１９に伝達されているため、その温度上昇は抑制される。
【０１０３】
これに加えて、前記インバータケース２２には排気口３１が上方に設けられているため、特に、内部空間２４内の温度が外部の温度よりも高くなった場合は、図１の矢印で示す如くその自然対流によって内部の熱気が排気口３１から排出され、また、外部の空気が、吸気口３０から内部空間２４内へ流入し、これらの流れによって内部空間２４内での熱気
のこもりが抑制される。
【０１０４】
前記インバータ８の温度上昇は、冷凍サイクル負荷の変動のみならず、周囲温度と関連して異常に高温となる場合がある。
【０１０５】
例えば、前記電動圧縮機１が車両用として用いられた場合であれば、車両停止直後のエンジンからの熱伝導あるいはエンジンルームからの高輻射熱によって圧縮機が１００℃以上の温度に晒される場合もある。
【０１０６】
かかる高温によるインバータ８の加熱は、関係部品の劣化を加速するため、本実施の形態１においては、インバータ８およびインバータケース２２における内部空間２４の温度を速やかに低下させる必要があり、また、内部空間２４の温度がかかる高温に至らないように抑制することも必要である。
【０１０７】
本実施の形態１においては、サーモモジュール２０を通電制御することにより、その吸熱面からヒートシンク２５を介して前記インバータ８における伝熱面部材１９を冷却する。また、前記ヒートシンク２５は、その面積が前記伝熱面部材１９の面積よりも大きく形成されているため、前記インバータ８の伝熱面部材１９と接触していないヒートシンク２５の部分では内部空間２４の温度上昇を抑制するように作用する。その一方で、サーモモジュール２０の発熱面では、前記インバータケース２２を介して電動圧縮機１の外部へ放熱を行う。
【０１０８】
上述の如く前記インバータ８は、サーモモジュール２０の吸熱面からの熱伝導に伴う冷却作用を主体に冷却され、それに加えて吸入冷媒１０の熱による内部空間２４の温度上昇抑制作用により周辺回路を含めての温度上昇が抑制されるものである。
【０１０９】
すなわち、周知の如く前記サーモモジュール２０は、通電量（電流量）を制御することによって吸熱量、発熱量が制御できるもので、前記通電量を最適値に制御することにより、前述の冷却作用によって前記インバータ８の温度上昇を抑制することができるものである。
【０１１０】
さらに、前記インバータケース２２によって前記サーモモジュール２０、インバータ８および回路基板１８等の埃、雨水等からの保護をはかっている。
【０１１１】
また、前記サーモモジュール２０の吸熱面を、ヒートシンク２５に密着して装着したことにより、前記サーモモジュール２０はその吸熱面が拡大形成された状態となる。これに加えて、インバータケース２２は外表面に放熱フィン２９を設けて放熱能力を向上させている。その結果、前記サーモモジュール２０における吸熱作用と放熱作用の均衡化をはかることができ、吸熱面と放熱面の温度差を小さくしてサーモモジュール２０を高い効率で運転することができる。
【０１１２】
したがって、前記インバータ８を効率よく冷却することができ、インバータ部品の熱による劣化加速が抑制できるものである。
【０１１３】
さらに、前記インバータケース２２に吸気口３０と排気口３１を設けているため、特に、ケース内部空間２４の温度がケース外の温度より高い場合は、冷気と暖気の自然対流を利用してインバータケース２２内での熱のこもりが抑制でき、しかも、前記排気口３１を前記吸気口３０よりも高い位置に設けているため、図１の矢印で示す如く冷気と暖気の自然対流による吸排気が行え易く、冷気の逃げが抑制できて換気効率の向上が期待できるものである。
【０１１４】
また、前記サーモモジュール２０は、弾性体２７の付勢力によって前記インバータケース２２に押付けられ、固定される構成であり、また前記蓋体７の突出壁７ｂによる回路基板１８の離反規制機能も作用することにより、前記インバータケース２２の熱膨張、熱収縮に追従してインバータ８との密着が維持される。その結果、サーモモジュール２０の冷却作用（吸放熱作用）が継続して行え、安定したインバータ８の冷却が行えるものである。
【０１１５】
特に、前記弾性体２７の付勢力によるサーモモジュール２０の固定は、熱応力等の衝撃に限らず、振動等の応力に対しても有効であり、したがって、前記電動圧縮機１が車両に搭載される場合であっても適用できるもので、振動によってサーモモジュール２０が脱落する、あるいは電極と熱電素子が剥離するといった故障、破損を防止することができる。
【０１１６】
さらに、前記サーモモジュール２０の側面周囲と固定具２６の間に、前記サーモモジュール２０の放熱面から吸熱面への直接的な熱のリークがないように断熱空間（断熱層）２８を設けているため、前記サーモモジュール２０を正規（定格通り）のもしくはそれに近い動作状態で運転することができ、冷却効率維持の阻害を低減することができるものである。
【０１１７】
前記断熱層は、断熱空間２８に限るものではなく、直接の熱のリークを規制する材料、構成であればよいもので、耐熱性の断熱材を前記断熱空間２８に設けることにより、一層高い熱リークの規制効果が得られ、サーモモジュール２０による一層の冷却効果が期待できる。この場合、前記断熱材を、前記サーモモジュール２０と固定具２６の間隔を維持するスペーサとして兼ねさせることもできる。
【０１１８】
また、前記断熱層は、前記サーモモジュール２０側部の全周に亘って設けることが好ましいが、側部の一部と固定具２６の当接関係を利用してサーモモジュール２０の位置決めを行う場合は、可能な限り接触面積を少なくすることが望ましい。
【０１１９】
さらに、前記回路基板１８には、インバータ８の制御回路部１８ｂと前記サーモモジュール２０の制御回路部２０ａが並設されているため、制御に必要な電動機４の回転信号や通電用の電源等が前記回路基板１８で共用された構造となっている。そのため、回路構成の簡略化が図れ、さらに電気回路系統の組込みが一括して行え、組立て作業性の向上をはかることができるものである。つまり、冷凍サイクル負荷（空調負荷）の変動に伴い電動機４の回転数が制御されるものであるが、その冷凍サイクル負荷の変動信号によってサーモモジュール２０の通電を制御することができ、検出信号を共用化した状態とすることによって回路の簡略化がはかれるものである。
【０１２０】
また、前記接続コネクタ２１を回路基板１８に固定し、そして予め前記回路基板１８を前記インバータケース２２に取付ける構成とした場合において、前記インバータケース２２の蓋体７あるいはケーシング本体３への取付け位置に合わせて、前記接続コネクタ２１の位置を、接続室４ｂに設けられた雄型の接続コネクタ（圧縮機ターミナル）４ａの位置と一致するように設定することにより、前記インバータケース２２のケーシング本体３側への組込み作業と一連して前記回路基板１８と電動機４側の配線接続作業を行うことができ、組立て作業性の一層の向上が期待できるものである。
【０１２１】
さらに、前記回路基板１８を、予め蓋体７に取付けておき、前記蓋体７のケーシング本体３への取付けと一連して前記回路基板１８と電動機４側の配線接続が行えるようにし、そしてインバータケース２２の蓋体７との接合時に、前記サーモモジュール２０のヒートシンク２５とインバータ８（伝熱面部材１９）との熱的な接続が行える構成とすることも
可能である。
【０１２２】
このように、本実施の形態１によれば、従来のインバータ内蔵式の電動圧縮機１において、サーモモジュール２０という小型軽量部品の追加によって、前記電動圧縮機１のサイズ、重量を略維持したままでインバータ８の効果的な冷却が可能となり、また、前記電動圧縮機１を車載用とした場合であっても、インバータ部品の冷却の関係から圧縮機の取付け位置、方向性等が制約されるといったことも緩和され、設計の自由度が増し、車両への装着性を損なうこともない。
【０１２３】
（実施の形態２）
図３は、インバータケースとサーモモジュールの異なる固定構造を具備した電動圧縮機におけるインバータケースの断面図である。
【０１２４】
したがって、ここでは先の実施の形態１と異なる部分についてのみ説明し、実施の形態１と同一の構成要件については同一の符号を付し、また、同一の作用等については説明を省略する。
【０１２５】
同図において、先の実施の形態１と大きく相違する点は、固定具２６を用いてサーモモジュール２０を固定する構造において、断熱層である断熱空間２８を、サーモモジュール２０の吸熱面に設けたヒートシンク２５と固定具２６の間にも形成した点である。
【０１２６】
かかる構成により、インバータケース２２の放熱作用がヒートシンク２５（サーモモジュール２０の吸熱面側）に及ぶことを極力抑制し、その結果、サーモモジュール２０は、先の実施の形態１よりも一層正規（定格通り）のもしくはそれに近い吸熱作用と放熱作用が行えるようになり、運転効率を高めることができる。
【０１２７】
この場合、弾性体２７も断熱性を有する材料より形成すれば、一層熱のリークが規制でき、よりサーモモジュール２０の運転効率（冷却効率）を高めることが期待できるものである。
【０１２８】
また、先の実施の形態１で説明したように、前記断熱空間２８に断熱材料を配置する構成とすることも可能である。
【０１２９】
（実施の形態３）
図４は、インバータケースとサーモモジュールのさらに異なる固定構造を具備した電動圧縮機におけるインバータケースの断面図である。
【０１３０】
したがって、本実施の形態３においても先の実施の形態１および２と異なる部分についてのみ説明し、実施の形態１と同一の構成要件については同一の符号を付し、また、同一の作用等については説明を省略する。
【０１３１】
同図において、先の実施の形態１および２と大きく相違する点は、サーモモジュール２０の放熱面に、インバータケース２２とは別体の伝熱促進手段を設けた点であり、その一例としてアルミ金属等の熱伝導性材料からなるヒートシンク３２を密着して取付けている。
【０１３２】
具体的には、前記サーモモジュール２０は、その吸熱面にヒートシンク２５が密着し、また放熱面にヒートシンク（インバータケース２２とは別体の伝熱促進手段）３２が密着した三層構造を形成している。
【０１３３】
一方、皿状に形成されたインバータケース２２は、その底面部に貫通穴３４が設けられている。また、前記ヒートシンク３２の一面には、表面積を大きくする放熱フィン３２ａが設けられている。
【０１３４】
そして、前記ヒートシンク３２、サーモモジュール２０、ヒートシンク２５の三層構造を、その両面に弾性体２７、３３を介在した状態で、前記ヒートシンク３２の放熱フィン３２ａが前記貫通穴３４から突出するようにインバータケース２２の内面に配置し、固定具２６により固定された構成となっている。
【０１３５】
したがって、前記ヒートシンク３２は、前記インバータケース２２の外殻の一部を形成しており、前記弾性体３３によってインバータケース２２側からの振動が前記サーモモジュール２０へ伝達され難いように構成されている。また、前記ヒートシンク３２には、放熱フィン３２ａが設けられ、前記サーモモジュール２２の放熱能力の向上をはかっている。
【０１３６】
かかる構成によれば、先の実施の形態１および２と同様に、断熱空間（断熱層）２８によってサーモモジュール２０の放熱面の熱がインバータケース２２を介して吸熱面へリークすることが防止できる。
【０１３７】
さらに、放熱面側のヒートシンク３２は独立しているため、その材質、大きさ等を選択する等して放熱特性、放熱能力を独自に設定することができる。その結果、電動圧縮機１が設置される環境条件に応じた放熱能力設定が可能となり、汎用性を高めることができるものである。この場合、前記弾性体２７、３３に断熱性をもたせることにより、サーモモジュール２０による冷却作用の一層の効率向上が期待できる。
【０１３８】
また、前記放熱能力の選択あるいは設定ができることによって、前記サーモモジュール２０の吸熱面と放熱面の温度差を小さくする設計の自由度も増し、サーモモジュール２０の運転効率を高めることができるものである。
【０１３９】
さらに、かかる構成は、前記サーモモジュール２０と各ヒートシンク２５、３２が予めユニット化できるため、インバータケース２２への取付け作業性を向上させることもできる。
【０１４０】
なお、上記各実施の形態１、２および３においては、横向き設置型の圧縮機の場合について説明したが、前記吸入冷媒１０の温度を利用してインバータケース２２内を冷却する構成を具備した縦向き設置型の圧縮機、あるいは吸入冷媒温度を利用した冷却構成を具備していない縦向き設置型の圧縮機についても同様に実施が可能であり、さらにこれらの場合において、例えば、インバータケース２２にサーモモジュール２０を取付ける凹部（図示せず）を設ける等、サーモモジュール２０の取付け、インバータケース２２の形状、構造等の細部において種々の変更が可能であるが、かかる構造においても本発明を逸脱するものではない。
【産業上の利用可能性】
【０１４１】
本発明にかかる電動圧縮機は、従来のインバータ制御装置内蔵の電動圧縮機と比較してインバータ制御装置を収納する空間の冷却手段を設けたことにより、電子部品の信頼性を向上でき、また、前記冷却手段の組立て作業性も容易であり、居室用の冷凍空調システム用に限らず、ハイブリッド車等の環境車両、さらには一般車両等にも適用でき、その他冷蔵庫等の如く物品貯蔵用の冷凍システム等にも幅広く適用できる。
【図面の簡単な説明】
【０１４２】
【図１】本発明の実施の形態１における電動圧縮機の一部を切り欠いた正面図
【図２】同電動圧縮機におけるインバータ制御装置を具備する回路基板の斜視図
【図３】本発明の実施の形態２における電動圧縮機のインバータケースの縦断面図
【図４】本発明の実施の形態３における電動圧縮機のインバータケースの縦断面図
【図５】従来例を示す電動圧縮機の縦断面図
【符号の説明】
【０１４３】
１    電動圧縮機
３    ケーシング本体
４    電動機
５    圧縮機構部
７    蓋体
７ｂ  突出壁
８    インバータ（インバータ制御装置）
１６    吸入通路
１８    回路基板
１９    伝熱面部材
２０    サーモモジュール
２２    インバータケース
２２ａ  断熱材
２４    内部空間
２５    ヒートシンク
２６    固定具
２７    弾性体
２８    断熱空間（断熱層）
２９    放熱フィン
３０    吸気口
３１    排気口
３２    ヒートシンク
３２ａ  放熱フィン
３３    弾性体
３４    貫通穴
【図１】
2008175067.tif 000003
【図２】
2008175067.tif 000004
【図３】
2008175067.tif 000005
【図４】
2008175067.tif 000006
【図５】
2008175067.tif 000007